(57)【特許請求の範囲】
【請求項１】
被洗浄車両のユーザが操作して所望の洗車モードを設定する操作部と前記洗車モードを表示する表示部とがタッチパネルから成るリモートパネルを備え、設定された前記洗車モードに応じて、被洗浄車両と洗車機本体を前後方向に相対移動させながら、前記被洗浄車両の洗車を行う洗車機であって、
前記リモートパネルが予めユーザに配布される記録媒体にユーザに応じた前記リモートパネルの高さを所定の高さとして記録するとともに、前記記録媒体を読み取る読取部と、
ユーザの指示により前記リモートパネルの高さを調整する昇降ボタンと、を備え、
前記所定の高さに前記リモートパネルが昇降した後に、前記昇降ボタンを介して、ユーザの所望する高さへと調整すると、当該高さを新たな前記所定の高さとして前記記録媒体に記録し、
前記読取部で読み取った前記所定の高さに基づいて前記リモートパネルの高さを前記洗車モードの設定前に変更することを特徴とする洗車機。
【請求項２】
前記記録媒体は、洗車受付を終了する度に発行されるレシートからなることを特徴とする請求項１に記載の洗車機。
【請求項３】
前記記録媒体は、洗車設備の作業者が操作する携帯端末装置から発行されるレシートからなることを特徴とする請求項１に記載の洗車機。
【請求項４】
ユーザの前記リモートパネルの操作段階に応じて、前記リモートパネルの高さが順次変化することを特徴とする請求項１〜３のいずれかに記載の洗車機。
【発明の詳細な説明】
【技術分野】
【０００１】
本発明は、たとえば給油所に設置され洗車に使用される洗車機に関し、特に、洗車モードを設定するリモートパネルを備える洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴霧して洗車を行う構成とされている。また、液剤や洗浄水を噴霧しながらブラッシングして洗浄することや、洗浄後に風を吹き付けて乾燥することが行われている。
【０００３】
洗車の際に用いる液剤としては、各種のシャンプーやワックスやコート類が用いられており、被洗浄車両のタイプや表面塗層に適した各種液剤が提案されている。これらの各種液剤は、それぞれ専用の貯液タンクに貯留されており、タンク内に挿入されたチューブを介して、洗車工程の処理に応じて噴霧され消費されていく。
【０００４】
また、複数の洗車モードから所望のモードを選択し、使用する液剤の種類を選択して所定の洗車モードに設定する操作手段として操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００５】
洗車を行うユーザは、被洗浄車両内からリモートパネルを用いて設定を行うことになるが、被洗浄車両の車高は被洗浄車両毎に異なるため、ユーザはリモートパネルを操作しやすい所望する高さに設定する必要がある。このため、ユーザが手動でリモートパネルの高さを調整するよりも、自動的にリモートパネルを昇降することが好ましい。
【０００６】
ここで、被洗浄車両の車高を検出して、自動的にリモートパネルを昇降させる装置が開示されている（例えば、特許文献１及び２参照）。
【先行技術文献】
【特許文献】
【０００７】
【特許文献１】特開２０１０−１２０５２８号公報
【特許文献２】特開平６−３４４８７１号公報
【発明の概要】
【発明が解決しようとする課題】
【０００８】
しかしながら、上記のような従来の技術は、被洗浄車両の車高の高さに応じて自動的にリモートパネルを昇降させるが、車高とドライバーズシートの高さは比例していない場合がある。例えば、ルーフＢＯＸを車天井に搭載した場合や軽四自動車のハイルーフタイプなどの場合は、車高が高く検知されても、ドライバーズシートの高さは、それほど高くはないことがある。
【０００９】
また、被洗浄車両の中から操作するユーザの個々の操作し易い高さが考慮されていない。即ち、同じ被洗浄車両でも、乗車しているユーザによっては男性や女性、老人もいる。さらに、被洗浄車両の座席の傾き具合や前後位置もユーザの好みよって異なるため、ユーザ（ドライバーと同義）によってリモートパネルの高さは異なることが多い。
【００１０】
そこで、本発明は斯かる問題点を鑑みてなされたものであって、その目的とするところはユーザ毎にリモートパネルの高さを変えることで、適応した高さ位置に容易に変位する構成として、使い易く、利便性の高い洗車機を提供するものである。
【課題を解決するための手段】
【００１１】
上記目的を達成するために本発明は、被洗浄車両のユーザが操作して所望の洗車モードに設定するリモートパネルを備え、設定された洗車モードに応じて、被洗浄車両と洗車機本体を前後方向に相対移動させながら、前記被洗浄車両の洗車を行う洗車機であって、予めユーザに配布される記録媒体にユーザに応じた所定の高さを記録するとともに、前記記録媒体を読み取る読取部を備え、前記読取部で読み取った前記所定の高さに基づいて前記リモートパネルの高さを変更することを特徴とする。
【００１２】
この構成によると、ユーザに配布される記録媒体にはユーザ毎に応じた所定の高さを記録している。この記録媒体を読み取る読取部をリモートパネルは備えており、前記読取部で読み取った前記所定の高さに基づいて前記リモートパネルは昇降する。このため、前記リモートパネルはユーザに応じた操作し易い高さとなり、使い易く、利便性の高い洗車機を提供する。
【００１３】
また、上記目的を達成するために本発明は、ユーザの指示により前記リモートパネルの高さを調整する昇降ボタンを備え、前記所定の高さに前記リモートパネルが昇降した後に、前記昇降ボタンを介して、ユーザの所望する高さへと調整すると、当該高さを新たな所定の高さとして前記記録媒体に記録することを特徴とする。
【００１４】
この構成によると、所定の高さは、前記昇降ボタンを介して、ユーザの所望する高さへと再度調整されることになる。そうすると、リモートパネルは今まで以上にユーザ個々に適した高さとなる。また、今回発行された記録媒体を次回の洗車の設定において利用すれば、再度の調整の必要もなくユーザに適したリモートパネルの高さとなり、使い易く、利便性の高い洗車機を提供する。
【００１５】
また、上記目的を達成するために、前記記録媒体は、洗車受付を終了する度に発行されるレシートからなることを特徴とする。
【００１６】
この構成によると、記録媒体は洗車受付を終了する度に発行されるレシートのため、割引情報や洗車設定情報などの他の情報も容易に同時に出力でき、記録媒体の適用範囲が広がり、利便性の高い洗車機を提供する。
【００１７】
また、上記目的を達成するために、前記記録媒体は、洗車設備の作業者が操作する携帯端末装置から発行されるレシートからなることを特徴とする。
【００１８】
この構成によると、前記記録媒体は洗車設備の作業者が操作する携帯端末装置からも発行されるために、洗車機の初めての利用であっても、作業者がユーザ（ドライバーと同義）の体格や、ドライバーズシートの高さなどから最適なリモートパネルの操作高さを設定でき、また、作業者からその場でレシートの使用説明を受けられた上でレシートを受け取るので、使い易く、利便性の高い洗車機を提供する。
【００１９】
また、上記目的を達成するために本発明は、ユーザの前記リモートパネルの操作段階に応じて、前記リモートパネルの高さが順次変化することを特徴とする。
【００２０】
リモートパネルが備える操作部には、装備品の設定や洗車コースの設定などそれぞれ高さが異なる。このため、この構成によると、リモートパネルの操作段階に応じて、前記リモートパネルの高さが順次変化するため、さらに操作容易な高さとなる。よって、使い易く、利便性の高い洗車機を提供する。
【発明の効果】
【００２１】
以上のように本発明によれば、洗車機の操作性を改善し、誰でも使いやすい洗車機を提供することができる。換言すれば利便性の高い洗車機を提供することができる。
【図面の簡単な説明】
【００２２】
【図１】洗車機一台の全体構成を示す側面図である。
【図２】洗車機一台の全体構成を示す正面図である。
【図３】本発明に係る洗車機が備える操作盤面式リモートパネルの一例を示す正面図である。
【図４】リモートパネルの制御装置が備える各種機能を示す機能ブロック図である。
【図５】所定の高さを記載した記録媒体（レシート）の一例である。
【図６】リモートパネルの設定操作の手順を示すフローチャートである。
【図７】所定の高さを記載した記録媒体を発行する受付端末（携帯端末装置）の一例である。
【図８】ユーザがリモートパネルリモートパネルを操作する一例である。
【図９】ユーザがリモートパネルリモートパネルを操作する一例である。
【図１０】本発明に係る洗車機が備えるタッチパネル式リモートパネルの一例を示す正面図である。
【発明を実施するための形態】
【００２３】
給油所などに設置されている洗車機は、被洗浄車両と洗車機本体を前後方向に相対移動させながら、被洗浄車両に貯液タンクに貯留された液剤や洗浄水を噴射して洗車を行う構成とされている。また、液剤や洗浄水を噴射しながらブラッシングして洗浄することや、洗浄後に乾燥用空気を吹き付けて乾燥することが行われている。
【００２４】
洗浄工程においては、先ず、洗浄水を用いて汚れを落とし、次いでシャンプーなどの液剤を用いて洗浄し、さらに洗浄水を用いて水洗いする。この洗浄工程の後で、各送風ノズルから送風して乾燥する乾燥工程が行われる。また、必要に応じて、ワックスや撥水コートなどの液剤塗布工程を適宜組み合わせて洗車を行う。このように、洗車の際に用いる液剤としては、各種のシャンプーやワックスやコート類が用いられており、それぞれ専用の貯液タンクに貯留され、タンク内に挿入されたチューブを介して、洗車工程の処理に応じて噴射され消費される。
【００２５】
また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【００２６】
具体的な一例として、図１及び図２を用いて説明する。この洗車機ＷＡは、複数のブラシを備える洗浄部材と、ブロワと複数の送風ノズルを備える乾燥部材とを装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両ＣＡへ噴射して、前記被洗浄車両ＣＡの洗車を行う。
【００２７】
洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル（操作部と同義）７やリモートパネル７Ａから、所望の洗車モードを設定し、スタートボタンを操作して、洗車操作を開始する。
【００２８】
門型の洗車機本体１は、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５とロッカーブラシ６とを備えている。トップブラシ４は、ブラシ軸（不図示）と該ブラシ軸に取付けられたブラシ毛、あるいは布（織布、編布および不織布が該当する）から作られ、図示しない支持装置を介して昇降自在で回転可能に支持されている。
【００２９】
また、ブラッシングの際に使用する洗浄水や各種液剤を噴射する各種ノズルや各種液剤を貯液する貯液タンクを備えている。各種液剤を貯液する複数の貯液タンクは、洗車機本体１に設けられるタンク収納部５０に収納されており、電磁式の開閉弁と副給水ホースを備える分配配管部５１などを介して各ノズルに分配している。
【００３０】
液剤を噴射するノズルとしては、例えば、第一浄水ノズル１１、第一洗剤ノズル１２、第二浄水ノズル１３、撥水コートノズル１４、第二洗剤ノズル１５、ワックスノズル１６などが配設されている。また、乾燥のために、ブロワ２０と該ブロワ２０からの送風を吹き付ける昇降自在なトップ送風ノズル２１と左右一対のサイド送風ノズル２２を備えている。
【００３１】
また、洗車機本体１に配設する操作パネル７やリモートパネル７Ａを介して、洗車機ＷＡの駆動条件を設定し、設定された条件に基づいて洗車機ＷＡを駆動する構成としている。洗車機本体１に配設する操作パネル７、もしくは、洗車機本体１から離れた位置に設置するリモートパネル７Ａを介して、洗車機ＷＡの駆動条件を設定し、設定された条件に基づいて洗車機ＷＡを駆動する構成としている。
【００３２】
８は、被洗浄車両ＣＡの有無および車高を検知するセンサであって、例えば、光電センサや超音波を利用したソニックセンサが好適に用いられる。センサ８に替えて透過式光電センサからなる車形検出センサ（不図示）を用いることもできる。この場合には、洗車機本体の一方の側部の上下方向に投光器を併設し、これらの投光器に対向する他方の側部の上下方向に受光器を併設することで、洗浄位置に進入してくる被洗浄車両ＣＡの車形およびボンネット高さを検知する。
【００３３】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００３４】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００３５】
次に、洗車機ＷＡが備えるリモートパネル７Ａについて説明する。図３に示す操作盤面式のリモートパネル７Ａは、洗車機ＷＡの洗車モードを設定する装置であって、図１に示すように、洗車機ＷＡへの進入経路上に設置されている。そのために、図８に示すように、該リモートパネル７Ａの正面に被洗浄車両ＣＡを停車して、ユーザは被洗浄車両ＣＡの中から洗車機ＷＡの洗車モードを設定することができる。
【００３６】
リモートパネル７Ａは、支柱７０にパネル本体７１が上下動自在に装着された構成であって、支柱７０に昇降装置（不図示）を内蔵する。ユーザは、上昇ボタン８５ａ、もしくは下降ボタン８５ｂを押下することで、リモートパネル７Ａは、下降端と上昇端（不図示）の間を昇降自在な構成とされている。なお、上昇ボタン８５ａと下降ボタン８５ｂとを合わせて昇降ボタン８５と呼ぶ。
【００３７】
パネル本体７１の正面側の高さ位置Ｌ０には、返却レバー７２、コイン投入口７３、紙幣投入口７４を設けている。さらに、プリペイドカード等の電子データの記録媒体の読取装置としてのカード投入口７５と、図５に示すようなＱＲコードが記載されている記録媒体（レシートと同義）１０７Ａを読み取るための光学的読取機能を備えた読取部７６が設けられている。
【００３８】
また、リモートパネル７Ａには、投入された金額を表示する金額表示部１１０が設けられている。高さ位置Ｌ０から距離Ｌ１程度下に、各種の洗車モードに対応する設定ボタン１１１が設けられている。設定ボタン１１１には、例えば、シャンプーを行うボタン、ワックス掛けを行うボタン、撥水コートを行うボタン、第２（高級）シャンプー、第２（高級）ワックス、第２（高級）撥水コートや特殊なコートを行う選択ボタン等を設ける構成としている。
【００３９】
さらに、リモートパネル７Ａには、高さ位置Ｌ０から距離Ｌ１＋Ｌ２程度下に、装備品設定ボタン１１２を備える。装備品設定ボタン１１２として、例えば、該当装備品なしボタン、フロントガードありボタン、フェンダーポールありボタン、ドアミラーありボタン、リヤワイパーありボタンなどが設けられている。
【００４０】
また、高さ位置Ｌ０から距離Ｌ１＋Ｌ２＋Ｌ３程度下に、スタート操作ボタン８４として、例えば、スタートボタン８４ａ、キャンセルボタン８４ｂが設けられている。
【００４１】
さらにまた、リモートパネル７Ａの正面の最下部（高さ位置Ｌ０から距離Ｌ１＋Ｌ２＋Ｌ３＋Ｌ４程度下）には、つり銭の返却口もしくは領収書やレシートの発行部となる払い出し部７９が設けられている。
【００４２】
また、リモートパネル７Ａには、報知部として音声出力を行うスピーカ８１が設けられており、洗車モードの設定操作の内容や手順を案内する音声ガイド、もしくは、注意事項などの音声ガイドを出力可能としている。さらにまた、音声ガイドの出力を停止する停止ボタン７７と音声ガイドの音量を調整するボリューム調整ボタン７８が設けられている。
【００４３】
また、リモートパネル７Ａ部に進入してくる被洗浄車両ＣＡを検知する反射型光電センサである車両検知センサ８０を設けている。さらにまた、リモートパネル７Ａ自身の高さを検出する高さ検出手段９０を設けている。
【００４４】
上記した洗車機ＷＡにおいては、一台の洗車機に一台の操作パネル７もしくはリモートパネル７Ａが配設された１：１構成とされていて、洗車の際には、車種に適応した洗車モードやユーザが所望する洗車モードに設定する必要がある。そのために、操作パネル７やリモートパネル７Ａに、ユーザもしくは洗車スタッフが所定の洗車モードを選択して設定している。
【００４５】
尚、ここでいう使用者（ユーザと同義）とは、被洗浄車両ＣＡの中から洗車をするためにリモートパネル７Ａを操作することのできる全ての人のことを指すものである。つまり、自動車の所有ユーザという意味に限定されるものではなく、洗車事業者（例えばガソリンスタンドの店員等）や、自動車ディーラ、洗車機メーカ、自動車用部品販売業者などを含むものである。
【００４６】
図４は、リモートパネル７Ａが備える機能ブロック図である。機能ブロック図には洗車機全体を制御する制御部１０１とプリペイドカード等の電子データの記録媒体を用いた情報や各洗車コースおよびオプションに対応する料金等の洗車モードを予め記憶させておく記憶部１０２や領収書の発行の有無、新たな液剤および／または新たな洗車モードを選択できる選択部１０３とを備える。
【００４７】
操作部１０６にて、リモートパネル７Ａの昇降動作、設定される各種液剤のタイプや洗車モード、領収書発行の有無などを、入出力部１０４から受け付け、制御部１０１を介して、設定された洗車モードや領収書発行の有無などを報知部８１や洗車機を駆動する信号を洗車機駆動部１０５へ出力する。また、領収書やレシートを記録媒体として印刷して発行するレシート発行部１０７を備える。さらにまた、前記レシートなどの記録媒体に記載された内容を読み取る光学的読取機能を備えた読取部７６を備える。
【００４８】
前記レシートは、図５に示すようなＱＲコードで記載された記録媒体であって、ユーザに応じた所定の高さを記録している。レシートや領収書は一例であって、ＲＦＩＤを用いた記録媒体であってもよい。そして、高さ制御部１０８の制御により、リモートパネル７Ａは、前記レシートに記載されているユーザ毎に応じた高さまで、ユーザの指示によらずに、一括して昇降させる。
【００４９】
次に、図６に示すフローチャートを用いて、リモートパネル７Ａの昇降工程について説明する。
【００５０】
ステップＳ１では、ユーザが図５に示すような記録媒体１０７Ａを使ってリモートパネル７Ａを昇降させるか否か判断される。使う場合にはステップＳ２へ移行し、使わない場合にはステップＳ７へ移行する。
【００５１】
ステップＳ２では、ユーザが記録媒体１０７Ａを持っているか（予め配布されているか）判断される。ユーザが持っている場合にはステップＳ４へ移行し、持ってない場合にはステップＳ３へ移行する。
【００５２】
ステップＳ３では、図７に示すような受付端末（携帯端末装置と同義）１２０から記録媒体１０７Ａを発行する。この受付端末１２０は、洗車設備の作業者（給油所にいる洗車スタッフなど）が所有している。記録媒体１０７Ａは、受付端末１２０の印刷部１２１から所定の操作を経て出力される。例えば、洗車スタッフはユーザに対して「このレシートを持って洗車の受付をすれば、高さが調整されて受付しやすいです」などと案内し、洗車スタッフはユーザの車両やユーザの大きさ（肩の位置）を参考にリモートパネルの所定の高さを受付端末１２０へ入力して、記録媒体１０７Ａを発行する。そして、記録媒体１０７Ａをユーザへ配布する。
【００５３】
ステップＳ４では、被洗浄車両ＣＡがリモートパネル７Ａ付近に進入する。そして、停車すると車両検知センサ８０が車体を検知して制御部に通信される。報知部８１を介して「いらっしゃいませ、コイン、紙幣、専用プリペイドカードを入れてください。また、高さ調整などが記載したレシートを使用する場合には所定の位置へ向けて下さい」等のアナウンスが報知される。そして、図８に示すように運転席側の窓から使用者は手を伸ばしてリモートパネル７Ａの操作を開始する。
【００５４】
ステップＳ５では、ユーザはリモートパネル７Ａの読取部７６へ記録媒体１０７Ａを向けることで、リモートパネル７Ａは記録媒体１０７Ａから所定の情報を読み取る。
【００５５】
ステップＳ６では、リモートパネルはユーザの指示によらずに、一括して自動昇降する。即ち、図９に示すように、高さＨ１からユーザに応じた所定の高さＨ２まで、昇降距離Ｈだけ一括して昇降する。昇降距離Ｈとしては、被洗浄車両ＣＡの中から操作するユーザが、洗車の設定しやすい高さまで昇降する。具体的には、最初に設定する洗車モードに対応する設定ボタン１１１がユーザの肩の位置に来るように昇降距離Ｈだけ昇降する。このように、昇降距離Ｈはユーザ毎に異なるとともに、ユーザの指示によらずに、予め定める所定の高さＨ２まで一括して昇降する。
【００５６】
ステップＳ７では、ユーザがリモートパネル７Ａの高さ調整がさらに必要か否か判定される。必要な場合にはステップＳ８へ移行し、必要ない場合にはステップＳ９へ移行する。
【００５７】
ステップＳ８では、ユーザは昇降ボタン８５を押下することによりリモートパネル７Ａを昇降させる。ここで、最終調整されたリモートパネル７Ａの高さが次回から記録媒体１０７Ａに記載される予め定める所定の高さＨ２となる。
【００５８】
即ち、所定の高さに前記リモートパネル７Ａがユーザの指示によらずに昇降した後に、昇降ボタン８５を介して、ユーザの所望する高さへと調整すると、当該高さを新たな所定の高さＨ２として記録媒体(レシート)１０７Ａに記録することになり、ユーザの好みが反映でき利便性はより向上する。
【００５９】
なお、ステップＳ７で高さ調整が必要としなかった場合には、高さ調整前のリモートパネル７Ａの高さが、次回の所定の高さＨ２となる。
【００６０】
ステップＳ９では、所定の設定が行われる。当初の所定の設定としては、設定ボタン１１１を用いた洗車モードに関する設定である。例えば、水洗いモードや、洗剤を用いた洗浄モードや、ワックスを塗布するワックスモードや、撥水剤をコートする撥水モードなどの各種洗車モードを選択して設定を行う。
【００６１】
ステップＳ１０では、リモートパネル７Ａは自動昇降する。具体的には、距離Ｌ１だけ上昇する。距離Ｌ１の下には、次の設定ボタンである装備品設定ボタン１１２がある。即ち、昇降ボタン８５を押下しなくても、次の設定をしやすくするためにリモートパネル７Ａは自動昇降する。
【００６２】
このように、ユーザのリモートパネル７Ａの操作段階に応じて、リモートパネル７Ａの高さが自動的に順次変化するため、洗車機ＷＡの利便性が向上する。
【００６３】
ステップＳ１１では、所定の設定が終わったか否か判断される。終わった場合にはステップＳ１２へ移行し、終わってない場合にはステップＳ９へ移行する。
【００６４】
ここで、所定の設定が終わってない場合についてさらに説明すると、上記では、設定ボタン１１１を用いた洗車モードに関する設定が終わったために、次は装備品の設定を行う。具体的には、設定ボタン１１２を用いて、所望の装備品の設定を行う。例えば、該当装備品なしボタン、フロントガードありボタン、フェンダーポールありボタン、ドアミラーありボタン、リヤワイパーありボタンなどを用いて行う（ステップＳ９）。この設定が終わると、距離Ｌ２だけさらにリモートパネルは上昇する（ステップＳ１０）。
【００６５】
同様に、リモートパネル７Ａは、スタート操作ボタン８４を用いた操作のために次回は距離Ｌ３だけ上昇する。そして、払い出し部７９から記録媒体１０７Ａやつり銭が返却される。このように、ユーザのリモートパネル７Ａの操作段階に応じて、リモートパネル７Ａの高さが順次変化するため、洗車機ＷＡの利便性が向上する。
【００６６】
ステップＳ１２では、所定の設定に応じた洗車が開始する。
【００６７】
ステップＳ１３では、上記のように洗車受付は終了しているので、レシート発行部１０７から所定の高さＨ２を記録した記録媒体１０７Ａが発行され、払い出し部７９から出力する。
【００６８】
以上によりフローチャートによる説明を終了する。
【００６９】
（他の実施形態）
【００７０】
また、上記実施形態においては操作盤面式リモートパネルであったが、これに限られる訳ではなく、図１０に示すようにタッチパネル式のリモートパネル７Ａであってもよい。ここで同一の機能については図１と同じ番号を付している。
【００７１】
タッチ型リモートパネル７Ａには表面にタッチパネルが配置された液晶パネルからなる表示部８２を備える。また、表示部８２には上昇ボタン８５ａａ、もしくは下降ボタン８５ｂｂが配され前記ボタンを押下することで、昇降自在な構成とされている。
【００７２】
上記の説明では、リモートパネル７Ａは上昇するということで説明したが、読取部７６や各種設定ボタンの配置によっては下降してもよい。
【００７３】
上記の通り、本発明に係る洗車機ＷＡは、洗浄車両のユーザが操作して所望の洗車モードに設定するリモートパネル７Ａを備え、設定された洗車モードに応じて、被洗浄車両ＣＡと洗車機本体１を前後方向に相対移動させながら、前記被洗浄車両ＣＡの洗車を行う洗車機１であって、予めユーザに配布される記録媒体１０７Ａにユーザに応じた所定の高さＨ２を記録するとともに、前記記録媒体１０７Ａを読み取る読取部７６を備え、前記読取部７６で読み取った所定の高さＨ２に基づいて前記リモートパネル７Ａの高さを変更することを特徴とする。
【００７４】
このため、使い勝手のよい洗車機１を提供し、洗車機１の操作性を改善し、誰でも使いやすい洗車機１を提供することができる。換言すれば利便性の高い洗車機１を提供することができる。
【００７５】
また本発明の構成は、上記実施形態のほか、発明の趣旨を逸脱しない範囲で種々の変更を加えることが可能である。
【符号の説明】
【００７６】
１      洗車機本体
２      レール
３      車輪
７      操作パネル
７Ａ    リモートパネル
８５ａ  上昇ボタン（昇降ボタン）
８５ｂ  下降ボタン（昇降ボタン）
ＣＡ    被洗浄車両
Ｈ２    所定の高さ
ＷＡ    洗浄器
【図１】
0005609662.tif 000002
【図２】
0005609662.tif 000003
【図３】
0005609662.tif 000004
【図４】
0005609662.tif 000005
【図６】
0005609662.tif 000006
【図７】
0005609662.tif 000007
【図１０】
0005609662.tif 000008
【図５】
0005609662.tif 000009
【図８】
0005609662.tif 000010
【図９】
0005609662.tif 000011